(57)【要約】      （修正有）【課題】警備システムのセンサ装置の作動に連動して自動印刷機能を禁止にした場合、受信した画像データを印刷処理可能なデータ形式にデコードして蓄積することができる画像形成装置および印刷制御情報を提供する。【解決手段】画像形成装置３００は、警備システム端末２０から警備センサ６０の作動開始が通知されると、自動印刷機能を禁止にして、印刷禁止中に公衆回線７０、ネットワーク５０を介して受信したファクスデータ、印刷ジョブを受信すると、画像蓄積部の空き領域のサイズに応じて受信した文書データの蓄積、転送を行い、画像蓄積部において、蓄積領域のサイズがあらかじめ設定したサイズ以上ある場合、印刷イメージに展開したデータ形式にて画像蓄積部に蓄積する。警備センサ６０の作動が解除されると、蓄積したデータの印刷処理を開始する。【選択図】図１
2006279230.tif 000002
【特許請求の範囲】
【請求項１】
警備センタへの警報通知機能を具備する警報システム端末に接続された画像形成装置において、
前記警報システム端末から警備ステータス情報を受信するステータス受信手段と、
外部から印刷データを受信する印刷データ受信手段と、
前記ステータス受信手段により受信した警備ステータス情報が前記警報システム端末の警備機能作動を示す場合は、前記印刷データ受信手段で受信した印刷データに基づく印刷を前記ステータス受信手段により前記警報システム端末の警備機能解除を示す警備ステータス情報を受信するまで禁止する制御手段と
を具備することを特徴とする画像形成装置。
【請求項２】
前記制御手段は、
前記印刷データに基づく印刷を禁止した場合は、前記印刷データ受信手段で受信した印刷データを印刷イメージデータに展開して記憶手段に記憶する
ことを特徴とする請求項１記載の画像形成装置。
【請求項３】
前記制御手段は、
前記印刷データ受信手段で受信した印刷データを判別する判別手段
を具備し、
前記判別手段による判別結果に基づき前記印刷データ受信手段で受信した印刷データを展開することなく前記記憶手段に記憶する
ことを特徴とする請求項２記載の画像形成装置。
【請求項４】
前記制御手段は、
前記記憶手段の記憶残量を検出する残量検出手段と、
前記残量検出手段による検出結果に基づき前記印刷データ受信手段で受信した印刷データを展開することなく前記記憶手段に記憶する
ことを特徴とする請求項２または３記載の画像形成装置。
【請求項５】
前記制御手段は、
前記記憶手段の記憶残量が所定の残量以下になった場合は前記印刷データ受信手段で受信した印刷データを予め設定した宛先に転送する
ことを特徴とする請求項２乃至４のいずれかに記載の画像形成装置。
【請求項６】
警備センタへの警報通知機能を具備する警報システム端末に接続された画像形成装置の制御方法において、
前記警報システム端末から警備ステータス情報をステータス受信手段により受信し、
外部から印刷データを印刷データ受信手段により受信し、
前記ステータス受信手段により受信した警備ステータス情報が前記警報システム端末の警備機能作動を示す場合は、前記印刷データ受信手段で受信した印刷データに基づく印刷を前記ステータス受信手段により前記警報システム端末の警備機能解除を示す警備ステータス情報を受信するまで禁止する
ことを特徴とする画像形成装置の制御方法。
【発明の詳細な説明】
【技術分野】
【０００１】
本発明は、画像形成装置および印刷制御方法に関し、特に、警備システムにおけるセンサ装置の作動に連動して自動印刷機能を禁止した状態において、受信した文書データを、使用可能なメモリ領域のサイズに応じて蓄積するデータ形式を決定し、特に、メモリ領域のサイズが所定のしきい値以上ある場合は、印刷出力可能なデータ形式にて蓄積する技術に関する。
【背景技術】
【０００２】
操作部からの禁止設定操作によって複合機のコピー、ファクシミリ機能、スキャナ機能を、個別に禁止する技術として特許文献１に記載された「原稿読取記憶装置」がある。
【０００３】
管理サーバにより複合機に搭載した複数のアプリケーションの実行を個別に制御する技術として特許文献２に記載された「アプリ実行制御システム、アプリ実行制御方法およびその方法をコンピュータに実行させるプログラムを記録したコンピュータ読み取り可能な記憶媒体」がある。
【特許文献１】特開２００４−０８８２７４号公報。
【特許文献２】特開２００２−１０８４７５号公報。
【発明の開示】
【発明が解決しようとする課題】
【０００４】
警備システムが作動する夜間にオフィスに設置された複合機のファクシミリ機能の自動受信機能に警備システムのセンサ装置が反応してセキュリティ会社に誤報連絡が入るといった問題が生じている。
【０００５】
警備システムのセンサ装置が作動している場合、画像形成装置の印刷禁止設定機能を使用して画像形成装置のサービスを禁止し、センサ装置が作動中は、受信したＦＡＸ文書、印刷ジョブを蓄積し、センサ装置の作動解除後に、蓄積した文書データを印刷する。
【０００６】
このとき、蓄積した文書の印刷を開始してからプリントアウトするまでに時間がかかるといった問題が生じた。
【０００７】
よって、本発明は、警備システムのセンサ装置の作動に連動して自動印刷機能を禁止にした状態で、外部からのデータを、メモリ領域の使用可能なサイズに応じて、受信した文書データの転送、蓄積を行うとともに、特に、蓄積領域の使用可能なサイズが所定の基準値以上ある場合は、印刷イメージのデータ形式にて保存して蓄積することができる画像形成装置および印刷制御方法の提供を目的とする。
【課題を解決するための手段】
【０００８】
上記目的を達成するために、請求項１の発明は、警備センタへの警報通知機能を具備する警報システム端末に接続された画像形成装置において、警報システム端末から警備ステータス情報を受信するステータス受信手段と、外部から印刷データを受信する印刷データ受信手段と、ステータス受信手段により受信した警備ステータス情報が警報システム端末の警備機能作動を示す場合は、印刷データ受信手段で受信した印刷データに基づく印刷をステータス受信手段により警報システム端末の警備機能解除を示す警備ステータス情報を受信するまで禁止する制御手段とを具備することを特徴とする。
【０００９】
また、請求項２の発明は、請求項１の発明において、制御手段は、印刷データに基づく印刷を禁止した場合は、印刷データ受信手段で受信した印刷データを印刷イメージデータに展開して記憶手段に記憶することを特徴とする。
【００１０】
また、請求項３の発明は、請求項２の発明において、制御手段は、印刷データ受信手段で受信した印刷データを判別する判別手段を具備し、判別手段による判別結果に基づき印刷データ受信手段で受信した印刷データを展開することなく記憶手段に記憶することを特徴とする。
【００１１】
また、請求項４の発明は、請求項２または３の発明において、制御手段は、記憶手段の記憶残量を検出する残量検出手段と、残量検出手段による検出結果に基づき印刷データ受信手段で受信した印刷データを展開することなく記憶手段に記憶することを特徴とする。
【００１２】
また、請求項５の発明は、請求項２及至る４のいずれかの発明において、制御手段は、記憶手段の記憶残量が所定の残量以下になった場合は印刷データ受信手段で受信した印刷データを予め設定した宛先に転送することを特徴とする。
【００１３】
また、請求項６の発明は、警備センタへの警報通知機能を具備する警報システム端末に接続された画像形成装置の制御方法において、警報システム端末から警備ステータス情報をステータス受信手段により受信し、外部から印刷データを印刷データ受信手段により受信し、ステータス受信手段により受信した警備ステータス情報が警報システム端末の警備機能作動を示す場合は、印刷データ受信手段で受信した印刷データに基づく印刷をステータス受信手段により警報システム端末の警備機能解除を示す警備ステータス情報を受信するまで禁止することを特徴とする。
【発明の効果】
【００１４】
本発明の画像形成装置および印刷制御方法によれば、
１）警備エリアに設置された画像形成装置が稼動中に発する、音、熱、光を防犯センサが検出することによる誤警報の発生を防止することができる。
２）警備システムの作動によって自動印刷処理が禁止された画像形成装置において、警備システムの解除後において、蓄積文書の印刷開始までの処理時間を短縮することができる。
【発明を実施するための最良の形態】
【００１５】
本発明の画像形成装置および印刷制御方法の実施の形態について添付図面を参照しながら説明する。
【実施例１】
【００１６】
本発明の画像形成装置を含む警備システムの例を示すシステム構成図である。
【００１７】
図１において、警備システムは、警備センタ端末１０と警備システム端末２０が、公衆回線７０を介して接続され、光、熱、音を検出する警備センサ６０によって警備エリア８３内の異常を検出すると警備センタ端末１０に警報を通知するシステムである。
【００１８】
警備システム端末２０にて監視される警備エリア８３には、コピー機能、ファクシミリ機能、スキャナ機能、プリンタ機能を提供する複合機としての画像形成装置３００が複数台設置され、画像形成装置３００は、ネットワーク５０を介して警備システム端末２０にデータ通信制御が可能に接続される。
【００１９】
警備システム端末２０は、警備センサ６０の作動による「警備センサ対応モード」、警備センサ６０の作動解除による「通常モード」を通知する警備ステータスをネットワーク５０経由で各画像形成装置３００に送信する。
【００２０】
画像形成装置３００は、警備システム端末２０から受信した警備ステータスの内容と、各画像形成装置３００に設定された電源制御情報、動作制御情報に基づいて、警備センサ６０が検出する光、音、熱の発生を伴う動作もしくはその動作を伴う機能の使用禁止、禁止解除の設定切り替えを自動制御する機能を有する。
【００２１】
警備センサ６０が反応する画像形成装置３００の動作の具体例としては、操作パネルのバックライト点灯、プリンタユニットにて制御される定着装置が印刷時に発する熱、ファックスユニットがＦＡＸデータ受信時に発する音がある。
【００２２】
また、画像形成装置３００は、自動印刷機能を禁止した状態で、ＦＡＸデータ、印刷ジョブを受信すると、受信データの蓄積処理を行う。この際、メモリの使用可能な空き領域のサイズが所定のしきい値を超える場合は、印刷処理可能なページイメージのデータ形式に展開したデータ形式にて画像蓄積部に保存する。
【００２３】
逆に、メモリの使用可能な空き領域の容量が所定のしきい値以下である場合、画像形成装置３００は、受信したデータを転送制御情報３１９に基づいて転送する処理を行う。
【００２４】
また、転送条件、蓄積時のテータ形式の種別は、受信したデータの種類（印刷ジョブ、ＦＡＸデータ、インターネットＦＡＸ）毎に個別の転送設定、蓄積設定を行う。
【００２５】
また、画像形成装置３００は、受信した警備ステータスにて「警備センサ対応モード」への移行を通知されると、各画像形成装置３００の電源制御情報に基づいて、省エネルギーモード、もしくは、電源ＯＦＦの制御を自動で行う。
【００２６】
図２は、図１に示した警備システムにおいて、警備センサ６０の作動、警備センサ６０の作動解除の処理を示したシーケンス図である。
【００２７】
最終退勤者８１が警備システム端末２０に対して警備センサ６０の作動を指示する操作を行うと、警備システム端末２０は、端末管理情報２５１に登録した各画像形成装置３００に対して、「警備ステータス」を送信して「警備センサ対応モード」への移行を通知する。
【００２８】
画像形成装置３００は、警備システム端末２０から警備ステータスを受信すると、「警備センサ対応モード」に移行して、自動印刷機能の禁止をはじめとして警備センサ６０に反応する動作を禁止に切替える「警備センサ対応モード」への移行制御を行い、移行制御が完了すると作動完了応答を警備システム端末２０に送信する。
【００２９】
警備システム端末２０は、「警備センサ対応モード」への移行完了応答を所定の時間内に各画像形成装置３００から全て受信すると、警備センサ６０の作動による警備エリア８３の監視を開始し、警備システムが作動したことを通知する信号を公衆回線７０にて警備センタ装置１０に送信する。
【００３０】
画像形成装置３００は、「警備センサ対応モード」中において、ネットワーク５０経由でのインターネットＦＡＸ、印刷ジョブ、公衆回線７０経由でのＦＡＸデータを受信した場合、使用可能なメモリの空き領域のサイズを取得し、取得したメモリの空き領域のサイズと、あらかじめ設定された転送設定、蓄積設定に応じて、受信したデータを画像蓄積部３０７に保存する蓄積処理あるいは受信したデータを転送先の端末に転送する転送処理を行う。
【００３１】
出勤者８２が警備システム端末２０に対して警備センサ６０の作動解除を行うと、警備システム端末２０は、警備センサ６０の作動を停止し、管理対象となる各画像形成装置３００に対して、警備センサ６０の作動解除を通知する警備ステータスを送信する。
【００３２】
警備ステータスを受信した画像形成装置３００は、「通常モード」への切り替え制御を行って、禁止していた動作、および、禁止した機能を解除し、「通常モード」への復帰応答を警備システム端末２０に送信する。
【００３３】
そして、画像形成装置３００は、画像蓄積部３０７に蓄積した画像データの印刷処理を開始する。
【００３４】
電源制御情報３１３によって電源ＯＦＦされた画像形成装置３００以外の画像形成装置３００全てから「通常モード」への復帰完了を通知する応答データの受信が完了すると、警備センサ６０の作動解除を通知する信号を警備センタ装置１０に送信する。
【００３５】
また、電源ＯＦＦになった画像形成装置３００においては、ユーザの手動操作によって電源ＯＮ制御を行い、起動処理が完了すると起動完了通知を警備システム端末２０に送信し、警備システム端末２０は通知が行われた画像形成装置３００の端末管理情報の登録データの内容を電源ＯＮの状態に更新する。
【００３６】
図３は、警備システム端末２０の制御構成を示したブロック図である。
【００３７】
図３において、警備システム端末２０は、システム制御部２１、通信制御部２２、操作表示部２３、記憶部２５、センサ管理部２６を有する。
【００３８】
システム制御部２１は、警備システム端末２０全体を制御し、各警備センサ６０にて検出される異常を警備センタ装置１０に通知する従来の警備システムの制御機能に加え、警備センサ６０の作動、作動解除通知を端末管理情報２５１にて管理する画像形成装置３００に送信する。
【００３９】
通信制御部２２は、ＩＰ網通信制御部２２１と、公衆網通信制御部２２２を有する。
【００４０】
ＩＰ網通信制御部２２１は、ネットワーク５０を介して接続される画像形成装置３００に対して警備ステータスの送信を行い、画像形成装置３００から応答データを受信してシステム制御部２１に出力する。
【００４１】
公衆網通信制御部２２２は、公衆回線７０を介して接続される警備センタ装置１０に対して、警備センサ６０の作動通知信号、警備センサ６０の作動解除信号、警備センサ６０による異常検出信号の送信を行う。
【００４２】
操作表示部２３は、警備システム端末２０に対する警備センサ６０の作動操作、警備センサ６０の作動解除操作、警備ステータスを通知する画像形成装置３００の登録、削除操作を行うための入力キー、表示器を有するユーザーインターフェースである。
【００４３】
記憶部２５は、警備システム端末２０を制御するためのシステムパラメータ、制御プログラムを記憶して管理し、特に、警備ステータスを通知する画像形成装置３００を記憶して管理する端末管理情報２５１を記憶する。
【００４４】
端末管理情報２５１は、図４に示すように、警備システム端末２０が警備ステータスを通知する画像形成装置３００のアドレス情報、装置名称を記録して管理する。
【００４５】
センサ管理部２６は、音、光、熱に反応する警備センサ６０の作動、作動停止を制御するとともに、異常を検出した警備センサ６０の識別情報、および検出内容をシステム制御部２１に出力する。
【００４６】
次に、画像形成装置３００の制御構成について説明する。
【００４７】
図５は、図１に示した画像形成装置３００の制御構成を示すブロック図である。
【００４８】
図５において、画像形成装置３００は、画像形成装置制御部３０１、記憶領域管理部３０１１、リモート制御部３０２、通信制御部３０３、画像処理部３０４、画像形成装置記憶部３０５、画像蓄積部３０７、スキャナユニット３０８、プリンタユニット３０９、ＦＡＸユニット３１０、操作パネル３１１、タイマ管理部３２１を有する。
【００４９】
画像形成装置制御部３０１は、画像形成装置３００全体の制御を行う。
【００５０】
リモート制御部３０２は、警備システム端末２０から受信する警備ステータスの解析を行って、「警備センサ対応モード」、「通常モード」の切り替えをシステム制御部２１に指示する。
【００５１】
通信制御部３０３は、ネットワーク５０経由で接続される警備システム端末２０との間でＴＣＰ／ＩＰによるデータ通信制御、公衆回線７０を介したファクシミリ通信を行う。  画像処理部３０４は画像データの符号化、復号化、拡大、縮小処理を行う。
【００５２】
画像形成装置記憶部３０５は、画像形成装置３００の制御パラメータ、制御プログラムを記憶し、特に、警備システム端末２０の宛先情報、電源制御情報３１３、動作制御情報３１４、蓄積文書管理情報３１５、印刷禁止情報３１７、転送制御情報３１９、蓄積制御情報３１８、転送文書管理情報３２０を記憶する。
【００５３】
電源制御情報３１３には、「警備センサ対応モード」に移行した時に、電源ＯＦＦにするか、あるいは、節電モードへの移行であるかを設定し、節電モードへの移行のレベルが複数ある場合には、その電源制御レベルが設定される。
【００５４】
動作制御情報３１４には、例えば、図６に示すように、画像形成装置３００が提供する各機能に対し、「警備センサ対応モード」中での動作の禁止、あるいは、一部の動作を制限するための制御パラメータが記録される。
【００５５】
蓄積文書管理情報３１５には、例えば、図８に示すように、画像蓄積部３０７に蓄積したデータの識別情報、データの格納場所およびデータ名、受信した際の文書データの種別、蓄積したデータの保存形式が記録される。
【００５６】
印刷禁止情報３１７には、画像形成装置３００におけるＦＡＸデータの受信、印刷ジョブの受信による用紙への印刷処理を禁止するための制御フラグが記録され、「警備センサ対応モード」に移行する際は、この制御フラグが有効にセットされ、自動印刷機能が禁止される。
【００５７】
転送制御情報３１９には、無条件に転送する文書データの種別、受信回線、送信者のアドレス情報、画像蓄積部３０７の使用可能な空き容量にて表現される転送実施基準値、受信データの種別毎の転送設定および転送先の情報が記録される。
【００５８】
転送文書管理情報３２０には、転送した文書に関する情報、転送先に関する情報が記される。
【００５９】
蓄積制御情報３１８には、例えば、図７に示すように、印刷イメージでの蓄積を受信したデータの種別毎に禁止にする設定（図７の（Ａ））、受信データの蓄積処理を制するためのしきい値（図７の（Ｂ）、図７の（Ｃ））、印刷イメージでの蓄積が許可されている場合でも、蓄積領域の使用可能な空き領域のサイズによっては、印刷イメージの形式での蓄積を禁止する基準値（図７の（Ｄ））が設定して記録される。
【００６０】
スキャナユニット３０８は、所定の解像度にて原稿画像の読み取り処理を行う。
【００６１】
プリンタユニット３０９は、所定の解像度により画像の形成処理を行って、記録紙に対する印刷出力を行う。
【００６２】
ＦＡＸユニット３１０は、画像データの符号化、復号化処理を行い、公衆回線（ＩＳＤＮ網／ＰＳＴＮ網）を介したファクシミリ通信を行う。
【００６３】
操作パネル３１１は、画像形成装置３００に対する各種操作を行うための入力キー、表示器を有するユーザーインターフェースである。
【００６４】
タイマ管理部３２１は、印刷禁止情報３１７に設定して管理される自動印刷機能の禁止設定を開始する時刻、禁止した設定の解除を開始する時刻の監視を行う。
【００６５】
画像処理部３０４は、ＦＡＸデータ、ＰＤＬデータ、インターネットＦＡＸデータのデコード処理を行って印刷する画像データに展開する。
【００６６】
画像形成装置制御部３０１は、印刷禁止情報３１７にて自動印刷機能の禁止が設定されている場合、受信した文書データ、あるいは、画像処理部３０４にてフォーマット変換された印刷イメージデータを画像蓄積部３０７に保存して蓄積し、蓄積した内容を蓄積文書管理情報３１５に登録する。
【００６７】
記憶領域管理部３０１１は、画像蓄積部３０７にて使用可能な空き容量を管理する。  蓄積文書管理情報３１５は、例えば、図８に示すように、蓄積したデータを識別する「蓄積文書ＩＤ」、画像蓄積部３０７における蓄積データの格納領域をするための「データ格納情報」、受信したデータが蓄積される際に、印刷用のページイメージに変換されたか否かを示す「蓄積データ形式」を記憶して管理する。
【００６８】
また、操作表示部２３は、画像形成装置３００に対して自動印刷機能の禁止、禁止解除の切り替え操作を行うユーザーインターフェースである。
【００６９】
次に、画像形成装置３００における文書データの受信処理について説明する。
【００７０】
図９は、画像形成装置における印刷禁止モードの設定、設定解除の動作を示すフローチャート。
【００７１】
画像形成装置３００は、起動時の初期化処理において、印刷禁止情報３１７の印刷禁止フラグを無効に初期化する印刷禁止モードの解除処理を行う（Ｓ１０１）、警報システム端末から「警備ステータス」によって警備センサ６０の作動が通知された場合（Ｓ１０２ＹＥＳ）、もしくは、操作パネル３１１から印刷禁止モードの設定操作が行われた場合（Ｓ１０３ＹＥＳ）、もしくは、タイマ管理部３２１にて印刷禁止モードへの切替設定時刻への到達が検知された場合（Ｓ１０４ＹＥＳ）、印刷禁止情報３１７の印刷禁止フラグを有効にして印刷禁止モードへの移行処理を行う（Ｓ１０５）。
【００７２】
印刷禁止モード中において、警備システム端末から警備ステータスによる「センサ装置の作動解除」が通知された場合（Ｓ１０６ＹＥＳ）、もしくは、操作パネル３１１にて、印刷禁止モードの解除操作が行われた場合（Ｓ１０７ＹＥＳ）、もしくは、タイマ管理部３２１にて、印刷禁止モードの解除時刻を検知した場合（Ｓ１０８ＹＥＳ）、画像形成装置３００は、印刷禁止情報３１７の印刷禁止フラグを無効にするステップＳ１０１の印刷禁止モードの解除処理を行う。
【００７３】
図１０は、画像形成装置３００による文書データの受信処理の動作を示すフローチャートである。
【００７４】
画像形成装置３００は、印刷禁止情報３１７に記録された印刷禁止フラグの値を参照して、印刷禁止モードであるかを判断する（Ｓ２０１）。
【００７５】
自動印刷禁止モードでない場合（Ｓ２０１ＮＯ）、画像形成装置３００は、受信した文書データの印刷処理を行う（Ｓ２１５）。
【００７６】
自動印刷禁止モードの場合（Ｓ２０１ＹＥＳ）、画像形成装置３００は、受信した文書データの種別を解析し、文書データの種別を判断する（Ｓ２０２）。
【００７７】
ステップＳ２０２の処理にて解析した文書データの種別が転送制御情報３１９にて、無条件に転送指示されている場合（Ｓ２０３ＹＥＳ）、画像形成装置３００は、受信した文書データを転送制御情報３１９にて設定された転送先に転送し（Ｓ２１２）、転送した文書に関する情報を転送文書管理情報３２０に記録する（Ｓ２１３）。
【００７８】
一方、受信した文書データの種別が転送の対象でない場合（Ｓ２０３ＮＯ）、画像形成装置３００は、記憶容量監視部３０１１にて、画像蓄積部３０７における利用可能なメモリ残量のチェックを行う（Ｓ２０４）。
【００７９】
使用可能な空き領域の容量が転送制御情報３１９にて設定された基準値以上の空きが無く、転送処理が必要な場合（Ｓ２０５ＹＥＳ）、画像形成装置３００は、受信した文書データを転送制御情報３１９にて設定された転送先に転送し（Ｓ２１２）、転送した文書に関する情報を転送文書管理情報３２０に記録する（Ｓ２１３）。
【００８０】
一方、転送処理が不要な十分な蓄積領域があり（Ｓ２０５ＮＯ）、かつ、ステップＳ２０４でチェックした容量が、受信した文書データを受信した時のデータサイズよりも大きな印刷イメージに変換したデータ形式で蓄積するために十分なサイズであるかをチェックする（Ｓ２０６）。
【００８１】
印刷イメージに変換して蓄積するための空き容量が無い場合（ステップＳ２０６ＮＯ）、あるいは、印刷イメージで蓄積するための十分な容量があるが（ステップＳ２０６ＹＥＳ）、受信した文書データは、印刷イメージでの蓄積が禁止されている場合（Ｓ２０７ＹＥＳ）、画像形成装置３００は、受信した文書データを印刷イメージに変換せずに、画像蓄積部３０７に保存する（Ｓ２１４）。
【００８２】
一方、印刷イメージで蓄積するための十分な容量があり（ステップＳ２０６ＹＥＳ）、なおかつ、受信した文書データは、印刷イメージでの蓄積が禁止されていない場合（Ｓ２０７ＮＯ）、画像形成装置３００は、受信した文書データを、ステップＳ２０２で解析したデータ種別に基づいて受信データに対してデコード処理を行って画像データに変換し（Ｓ２０８）、デコードした画像データから印刷イメージを作成し（Ｓ２０９）、作成した印刷イメージを画像蓄積部３０７に保存する（Ｓ２１０）。
【００８３】
ステップＳ２１４もしくはステップＳ２１０における蓄積処理が完了すると、画像形成装置３００は、画像蓄積部３０７に蓄積したデータに関する情報を、蓄積文書管理情報３１５に記録する（Ｓ２１１）。
【００８４】
図１１は、自動印刷禁止モード解除後の画像形成装置による蓄積文書印刷の動作を示すフローチャートである。
【００８５】
画像形成装置３００は、印刷禁止情報３１７の印刷禁止フラグを無効に切り替える印刷禁止モードの解除を行うと、蓄積文書管理情報３１５を参照して、蓄積文書の有無を判断する（Ｓ３０１）。
【００８６】
蓄積文書がある場合（Ｓ３０１ＹＥＳ）、画像形成装置３００は、蓄積文書管理情報３１５の「蓄積データ形式」を参照し、印刷イメージ、文書データのいずれの形式で保存されているかを判断する（Ｓ３０２）。
【００８７】
蓄積文書が印刷イメージに変換されていない場合（Ｓ３０２ＮＯ）、画像形成装置３００は、蓄積文書管理情報３１５の「データ種別」に基づいて、画像処理部３０４にてデコードして、印刷イメージを作成する（Ｓ３０３）。
【００８８】
画像形成装置３００は、ステップＳ３０３の処理で作成した印刷イメージ、あるいは、画像蓄積部３０７から読み出した印刷イメージに基づいて印刷処理を行い（Ｓ３０４）、印刷処理が完了すると、画像蓄積部３０７から蓄積文書を削除し、蓄積文書管理情報３１５印刷が完了した蓄積文書の登録データを削除する（Ｓ３０５）。
【００８９】
以後、蓄積文書管理情報３１５に登録された残りの蓄積文書がある場合（Ｓ３０６ＹＥＳ）、上記ステップＳ３０２からＳ３０５までの処理を繰り返して蓄積したデータの印刷処理を行う。
【産業上の利用可能性】
【００９０】
本発明の画像形成装置および印刷制御情報は、警備システムのセンサ装置の作動に連動して自動印刷機能を禁止し、ファックス画像データ、印刷ジョブの印刷画像データを蓄積する機能、センサ装置の作動解除に連動して自動印刷機能の禁止を解除して蓄積した画像データの自動印刷機能を有する画像形成装置に利用可能である。
【図面の簡単な説明】
【００９１】
【図１】本発明の画像形成装置を含む警備システムの例を示すシステム構成図。
【図２】図１のセンサ装置作動中における画像形成装置の文書データ受信処理、センサ装置作動解除後における蓄積した文書の印刷処理の例を示すシーケンス図。
【図３】図１に示した警備システム端末の制御構成を示すブロック図。
【図４】警備システム端末にて管理される端末管理情報の登録例を示す図。
【図５】図１に示した画像形成装置の制御構成を示すブロック図。
【図６】画像形成装置にて記憶される動作制御情報の例を示す図。
【図７】画像形成装置に記憶される蓄積制御情報の例を示す図。
【図８】画像形成装置に記憶される蓄積文書管理情報の例を示す図。
【図９】画像形成装置における自動印刷禁止モードの設定、設定解除の動作を示すフローチャート。
【図１０】画像形成装置による文書データ受信処理の動作を示すフローチャート。
【図１１】自動印刷禁止モード解除後、画像形成装置よる蓄積文書印刷の動作を示すフローチャート。
【符号の説明】
【００９２】
１０    警備センタ装置
２０    警備システム端末
２１    システム制御部  
２２    通信制御部
２２１    ＩＰ網通信制御部
２２２    公衆網通信制御部
２３    操作表示部
２５    記憶部
２５１    端末管理情報
２６    センサ管理部
３００    画像形成装置
３０１    画像形成装置制御部
３０１１    記憶領域管理部
３０２    リモート制御部
３０３    通信制御部
３０４    画像処理部
３０５    画像形成装置記憶部
３０７    画像蓄積部
３０８    スキャナユニット
３０９    プリンタユニット
３１０    ＦＡＸユニット
３１１    操作パネル
３１３    電源制御情報
３１４    動作制御情報
３１５    蓄積文書管理情報
３１７    印刷禁止情報
３１８    蓄積制御情報
３１９    転送制御情報
３２０    転送文書管理情報
３２１    タイマ管理部
５０    ネットワーク
６０    センサ装置
７０    公衆回線
８１    最終退勤者
８２    出勤者
８３    警備エリア
【図１】
2006279230.tif 000003
【図２】
2006279230.tif 000004
【図３】
2006279230.tif 000005
【図４】
2006279230.tif 000006
【図５】
2006279230.tif 000007
【図６】
2006279230.tif 000008
【図７】
2006279230.tif 000009
【図８】
2006279230.tif 000010
【図９】
2006279230.tif 000011
【図１０】
2006279230.tif 000012
【図１１】
2006279230.tif 000013